(57)【要約】      （修正有）【課題】単一意匠の家具の組合せで多彩な使用方法や様々な形態を実施できる三種類の窓付木製ボックス型中空板箱ユニットを含む多目的簡易組立式家具を提供する。【解決手段】三種類の木製ボックス型中空板箱と三種の天板６において、中空板箱の表面を、透明板での窓型５、又は窓なし型にして、背面の内側にＶＯＣ吸着板にして、左横板、右横板２、上板３、底板の四面を無垢の板にして、当該木製中空板箱を２〜１０個と、上部に敷板として三種類の天板１〜３枚とを接合具によって自由に組み立てできるようにしている。【選択図】図１
0003174701.tif 000002
【実用新案登録請求の範囲】
【請求項１】
三種類の木製ボックス型中空板箱において、高さ１５０〜５００ｍｍ、幅３００〜５００ｍｍ、奥行３００〜５００ｍｍの寸法の木製箱と、高さ３００〜５００ｍｍ、幅３００〜５００ｍｍ、奥行３００〜５００ｍｍの寸法の木製箱と、高さ５００〜８００ｍｍ、幅３００〜５００ｍｍ、奥行３００〜５００ｍｍの寸法の木製箱の三種類にして、中空板箱の表面を、透明板での窓型、又は窓なし型にして、背面の内側にＶＯＣ吸着板にして、左横板、右横板、上板、底板の四面を無垢の板にして、当該木製中空板箱を２〜１０個と、上部に敷板として三種類の天板１〜３枚とを接合具によって自由に組み立てできるようにしていることを特徴とする多目的簡易組立式家具
【請求項２】
三種類の木製ボックス型中空板箱と三種類の天板とにおいて、三種類の木製ボックス型中空板箱であって、高さ１５０〜５００ｍｍ、幅３００〜５００ｍｍ、奥行３００〜５００ｍｍの寸法の木製箱を２〜８個と、高さ３００〜５００ｍｍ、幅３００〜５００ｍｍ、奥行３００〜５００ｍｍの寸法の木製箱を０〜２個と、高さ５００〜８００ｍｍ、幅３００〜５００ｍｍ、奥行３００〜５００ｍｍの寸法の木製箱を０〜２個と、三種類の天板において、幅３００〜５００ｍｍ、長さ１２００〜１５００ｍｍ、厚さ１０〜３０ｍｍの長方形板の１枚と、幅３００〜５００ｍｍ、長さ８００〜１２００ｍｍ、厚さ１０〜３０ｍｍの長方形板の０〜１枚と、幅３００〜５００ｍｍ、長さ３００〜５００ｍｍ、厚さ１０〜３０ｍｍの長方形板の０〜３枚との中から選ばれて、組み合せセットになっていることを特徴とする請求項１に記載の多目的簡易組立式家具
【請求項３】
組み立てのボックスの接合具は、基本形木製ボックス型中空板箱の左横板、右横板、上板、底板の四面の外板面の中心部に、又は二種類の長手型木製ボックス型中空板箱の左横板、右横板の二面の外板面に二等分、又は三等分部に、奥行の両端から３０〜７０ｍｍの位置に２か所、ダボ・ピンの挿入可能な穴、又ははめ込みマグネット盤を設置して、穴又はマグネットの直径を５〜１５ｍｍであって、各々の木製箱を固定できるようにしていることを特徴とする請求項１、又は請求項２に記載の多目的簡易組立式家具
【請求項４】
木製ボックス型中空板箱における表面は、窓面の場合には５０〜８０％の面積を占めて、引出し、片開き戸、両開き戸、引出ボックス、棚引出から選ばれた中空板箱になっていることを特徴とする請求項１〜請求項３のいずれかに記載の多目的簡易組立式家具
【請求項５】
木製ボックス型中空板箱の材質は、無垢の木で厚さ１０〜３０ｍｍであって、材質として杉材、又はヒノキ材であって、透明窓板を厚さ２〜５ｍｍのガラス、アクリル樹脂板、ポリカボネート樹脂板から選ばれた板盤になっていることを特徴とする請求項１〜請求項４のいずれかに記載の多目的簡易組立式家具
【請求項６】
木製ボックス型中空板箱を２〜１０個を接続具によって自由に組み合せることにより、履物入れ、食器入れ、小物入れタンス、電気機器設置ラック、デスクになっていることを特徴とする請求項１〜請求項５のいずれかに記載の多目的簡易組立式家具
【請求項７】
木製ボックス型中空板箱を２〜１０個を組み合せたときの中空板箱のユニットとユニットの接合は、金属具、又は樹脂製具を差し込んで固定するか、あるいは各ユニット板に穴を開けて、ピンを挿入するか、又はマグネットを挿入して固定できるようになっていることを特徴とする請求項１〜請求項６のいずれかに記載の多目的簡易組立式家具
【請求項８】
木製ボックス型中空板箱ユニットセットは、自然観をもたらすために無垢の状態、自然塗料の塗装、石鹸塗料の塗装になっていることを特徴とする請求項１〜請求項７のいずれかに記載の多目的簡易組立式家具
【考案の詳細な説明】
【技術分野】
【０００１】本考案は木製ボックス型中空板箱ユニットを複数組み合せることにより多彩な展開が簡易に出来ることが特徴で木製窓付木製ボックス型中空板箱ユニットを５〜１０つの箱形状に組み合せた構造にすることによって、自然観をもった意匠性の高い多目的簡易組み立て式の家具に関するものである。
【背景技術】
【０００２】  従来より一般的な組立棚は左右両側板および中仕切板を有し、複数段の棚板を等間隔に配し、この棚板を側板外側よりボルトやビス等の金具をドライバー等の工具を使い組立固定し使用されていた。【０００３】  基本ボックスあるいは盤板を組み立てた家具が製作されている。（特許文献１〜２参照）。しかし形状が一定であってデザイン性で劣る。両側板に棚板が水平に取付けられている。棚板は側板の外側面より挿入され内側面へ突出した止め具により支持されている。上記止め金具の使用例であり、両側板から棚板の木口に螺合している。【０００４】  このことは棚の位置が固定され、用途に応じ棚を移動しての使用が不可能である。棚板を移動可能な方法で両側板の内側面より止め金具を嵌め込み、棚板は止め金具に載って支持されている（特許文献３〜４参照）。【０００５】  組立式棚は大きなもので幅９０ｃｍまでのサイズが大半であり、そのサイズを超える場合、側板との間に中仕切り板により棚板を支える構造としているが、中仕切り板を取り付けることで、棚板に載置する物品が制約されることになる。
【先行技術文献】
【特許文献】
【０００６】
【特許文献１】実用新案登録３０９９７３０号
【特許文献２】実用新案登録３１３３０３８号
【特許文献３】実開平０５−１５８４９号
【特許文献２】特開２００７−１１７２３２号
【考案の概要】
【考案が解決しようとする課題】
【０００７】このように、従来の組立て式木製棚には上記のごとき問題があった。本考案が解決しようとする課題はこの問題点であり、中仕切り板を取付けることなく、荷重に耐え、しかも簡単にデザインを替えて、無垢材料を用いて自然観を持たせた窓付木製ボックス型中空板箱ユニットであって、高い意匠性の簡易組み立て式の家具を提供する。【０００８】  上記した近年提案の組立の家具は、それの占有スペースを少なくして、小さいスペースでの使用に好適であるけれども、実使用に際しては専用の取付金具のために多種の家具全体としてのバリエーションには自ずと限界があった。【０００９】  本考案は上記実情に鑑みてなされたもので、ワンルームマンションなど小さいスペース部屋での使用に好適であるとともに、ドライバー等の工具を使用しない簡単な操作で任意の場所に容易に組み立てて用いることができ、しかも、全体のバリエーションに多様性を持たせることができる種々の自然観の高いデザイン性の簡易組立家具を提供することを目的としている。
【課題を解決するための手段】
【００１０】三種類の木製ボックス型中空板箱において、高さ１５０〜５００ｍｍ、幅３００〜５００ｍｍ、奥行３００〜５００ｍｍの寸法の木製箱と、高さ３００〜５００ｍｍ、幅３００〜５００ｍｍ、奥行３００〜５００ｍｍの寸法の木製箱と、高さ５００〜８００ｍｍ、幅３００〜５００ｍｍ、奥行３００〜５００ｍｍの寸法の木製箱の三種類にして、中空板箱の表面を、透明板での窓型、又は窓なし型にして、背面の内側にＶＯＣ吸着板にして、左横板、右横板、上板、底板の四面を無垢の板にして、当該木製中空板箱を２〜１０個と、上部に敷板として三種類の天板１〜３枚とを接合具によって自由に組み立てできるようにしている多目的簡易組立式家具である。【００１１】三種類の木製ボックス型中空板箱と三種類の天板とにおいて、三種類の木製ボックス型中空板箱であって、高さ１５０〜５００ｍｍ、幅３００〜５００ｍｍ、奥行３００〜５００ｍｍの寸法の木製箱を２〜８個と、高さ３００〜５００ｍｍ、幅３００〜５００ｍｍ、奥行３００〜５００ｍｍの寸法の木製箱を０〜２個と、高さ５００〜８００ｍｍ、幅３００〜５００ｍｍ、奥行３００〜５００ｍｍの寸法の木製箱を０〜２個と、三種類の天板において、幅３００〜５００ｍｍ、長さ１２００〜１５００ｍｍ、厚さ１０〜３０ｍｍの長方形板の１枚と、幅３００〜５００ｍｍ、長さ８００〜１２００ｍｍ、厚さ１０〜３０ｍｍの長方形板の０〜１枚と、幅３００〜５００ｍｍ、長さ３００〜５００ｍｍ、厚さ１０〜３０ｍｍの長方形板の０〜３枚との中から選ばれて、組み合せセットになっている。【００１２】好ましくは、高さ１５０〜５００ｍｍ、幅３００〜５００ｍｍ、奥行３００〜５００ｍｍの寸法の木製箱を２〜６個と、高さ３００〜５００ｍｍ、幅３００〜５００ｍｍ、奥行３００〜５００ｍｍの寸法の木製箱を１個と、高さ５００〜８００ｍｍ、幅３００〜５００ｍｍ、奥行３００〜５００ｍｍの寸法の木製箱を１個と、三種類の天板において、幅３００〜５００ｍｍ、長さ１２００〜１５００ｍｍ、厚さ１０〜３０ｍｍの長方形板の１枚と、幅３００〜５００ｍｍ、長さ８００〜１２００ｍｍ、厚さ１０〜３０ｍｍの長方形板の１枚と、幅３００〜５００ｍｍ、長さ３００〜５００ｍｍ、厚さ１０〜３０ｍｍの長方形板の３枚との中から選ばれて、組み合せセットである。【００１３】組み立てのボックスの接合具は、基本型木製ボックス型中空板箱の左横板、右横板、上板、底板の四面の外板面の中心部に、又は二種類の長手型木製ボックス型中空板箱の左横板、右横板の二面の外板面に二等分、又は三等分部に、奥行の両端から３０〜７０ｍｍの位置に２か所、ダボ・ピンの挿入可能な穴、又ははめ込みマグネット盤を設置して、穴又はマグネットの直径を５〜１５ｍｍであって、各々の木製箱を固定できるようにしている。好ましくはマグネットによる接合である。【００１４】木製ボックス型中空板箱における表面は、窓面の場合には５０〜８０％の面積を占めて、引出し、片開き戸、両開き戸、引出ボックス、棚引出から選ばれた中空板箱になっている。また木製ボックス型中空板箱の底部に台座を引くことができる。また窓のない場合には、同種類の薄板を表面に張ることもできる。【００１５】木製ボックス型中空板箱の材質は、無垢の木で厚さ１０〜３０ｍｍであって、材質として杉材、又はヒノキ材であって、透明窓板を厚さ２〜５ｍｍのガラス、アクリル樹脂板、ポリカボネート樹脂板から選ばれた板盤になっている。好ましくは透明アクリル樹脂板である。【００１６】木製ボックス型中空板箱を２〜１０個を接続具によって自由に組み合せることにより、履物入れ、食器入れ、小物入れタンス、電気機器設置ラック、デスクになっている。特に、履物入れ、小物入れタンス、電気機器設置ラック、簡易机などが好まれている。【００１７】木製ボックス型中空板箱を２〜１０個と天板とを組み合せたときの中空板箱のユニットとユニットの接合は、金属具、又は樹脂製具を差し込んで固定するか、あるいは各ユニット板に穴を開けて、ピンを挿入するか、又はマグネットを挿入して固定できるようになっている。木製ボックス型中空板箱ユニットと天板のセットには４〜１０個が好ましい。【００１８】木製ボックス型中空板箱ユニットセットは、自然観をもたらすために無垢の状態、自然塗料の塗装、石鹸塗料の塗装になっている多目的簡易組立式家具である。一般的には無垢の状態が木臭い、感覚から好ましい。【００１９】  この考案は、複数種のボックス板ユニットを、マグネット、あるいはホゾ構造の接合で取り付けた木製家具において、複数種の板を組み立てた窓付木製ボックス型中空板箱ユニットは２〜１０個の箱形状からなり、接合部分はマグネット、或いはホゾ構造で接合しているため高い強度がある、棚状、ラック状である。この木製ボックス型中空板箱ユニットを複数組み合せることで様々な形状の家具が組み立てられる。
【考案の効果】
【００２０】本考案は単一の木製ボックス型中空板箱ユニットの組合せによる多彩な形状のラックができることにより、様々な用途に対応できる多様性が特徴である。また、天板との組み合せることで、履物入れ、食器入れ、小物入れタンス、電気機器設置ラックテーブル、座卓、デスクなどの展開が広がり幅広い用途に対応できる。多目的木製ボックスは、ボックス内部にモイスを組み込んだことで、ボックス内部で発生するカビやダニなどの繁殖を制御することができる。【００２１】人が感じる臭いは、アンモニア・硫化始祖・酢酸・トリメチルアミンなどに代表されるもので、それらの臭気をモイスは吸着し、紫外線を受けることにより中和される。モイスと杉材を組み合わせることにより、二重の効果がある。杉材の中に微量の芳香成分に鎮静効果があり、その他消臭作用・防ダニ作用・殺虫作用・防カビ作用・殺菌作用がある。ボックスは、ダボ・ピンの挿入、及びマグネット方式で多目的自由に組み合わせる事が出来、女性やお年寄りでも簡単に組み合わせることが出来る。【００２２】本考案に係る組立式木製セット家具は、付木製ボックス型中空板箱を５〜１０つ組み合わせた構造にした自然観の高いラック状の木製ボックス型中空板箱ユニットであり、木製ボックス型中空板箱ユニットを５〜１０個を自由に組み合せて、重さに十分耐えることができ、天板の撓みも抑制された。また高い意匠性の簡易組立家具を提供できた。
【図面の簡単な説明】
【００２３】
【図１】木製簡易組立式家具を構成する各タイプボックス型中空板箱図  Ａ−１：Ａ型窓なし中空箱板、Ａ−２：Ａ型窓付き中空箱板、Ｂ：Ｂ型中空箱板、Ｃ：Ｃ型中空箱板、Ｄ：天板
【図２】木製簡易組立式家具を構成する各タイプボックス型中空板箱の製作図  Ａ：Ａ型窓付き中空箱板、Ｂ：Ｂ型中空箱板、Ｃ：Ｃ型中空箱板
【図３】本考案に係るＡＢＣ６個組み合せ木製家具の組立前の図。
【図４】本考案に係るＡＢＣ６個組み合せ木製家具の組立後の図。
【図５】本考案に係るＡＢＣ７個組み合せ木製家具の組立前の図。
【図６】本考案に係るＡＣ４個組み合せ木製机家具の図
【図７】本考案に係るＡＢ３個組み合せ木製机家具の図
【図８】本考案に係る組み合せＡ４個引出付木製家電ラック家具図
【図９】本考案に係る組み合せテレビ置き木製ラック組み立て前図
【図１０】本考案に係る組み合せ木製棚図
【考案を実施するための形態】
【００２４】  図１〜図２に示すように三種類の窓付木製ボックス型中空板箱において、縦２００〜５００ｍｍ、横２００〜３００ｍｍ、奥行き３００〜５００ｍｍの寸法の木製箱（Ａタイプボックス型中空板箱図）と、縦２００〜５００ｍｍ、横３００〜６００ｍｍ、奥行３００〜５００ｍｍの寸法の木製箱（Ｂタイプボックス型中空板箱図）と、縦２００〜５００ｍｍ、横４００〜８００ｍｍ、長さ３００〜５００ｍｍの寸法の木製箱（Ｃタイプボックス型中空板箱図）の三種類にして、窓付木製ボックス型中空板箱ユニットを２個から７個を組み立てた物入れ家具を図３〜図５、机、ラックなどの関係家具を図６〜図１０に示した。以下具体的に説明する。
【実施例１】
【００２５】図１の三種類の木製ボックス型中空板箱と天板とにおいて、厚さ１５ｍｍの杉材を使用して三種類の杉木材製ボックス型中空板箱と天板とを製作した。図２に示すように、木製箱として、高さ２００ｍｍ、幅２８４ｍｍ、奥行３３０ｍｍの寸法の杉木製箱Ａを４個（窓付き２個、窓なし２個）と、高さ４００ｍｍ、幅２８４ｍｍ、奥行３３０ｍｍの寸法の杉木製箱Ｂ（窓付き）を１個と、高さ６００ｍｍ、幅２８４ｍｍ、奥行３３０ｍｍの寸法の杉木製箱Ｃ（窓付き）を１個と、天板として、幅３３０ｍｍ、長さ９００ｍｍ、厚さ１５ｍｍの長方形板の１枚であった。【００２６】図２のように高さ２００ｍｍ、幅２８４ｍｍ、奥行３３０ｍｍの寸法の杉木製箱Ａの基本形木製ボックス型中空板箱の左横板、右横板、上板、底板の四面の外板面の中心部に、奥行の両端から４０ｍｍの位置に２か所に半径５ｍｍφのはめ込み金属マグネット盤を設置して、高さ４００ｍｍ、幅２８４ｍｍ、奥行３３０ｍｍの寸法の杉木製箱Ｂの基本形木製ボックス型中空板箱の左横板、右横板、上板、底板の四面の外板面の４等分した２ケ所部に、奥行の両端から４０ｍｍの位置に４か所に半径５ｍｍφのはめ込み金属マグネット盤を設置して、高さ６００ｍｍ、幅２８４ｍｍ、奥行３３０ｍｍの寸法の杉木製箱Ｃの基本形木製ボックス型中空板箱の左横板、右横板、上板、底板の四面の外板面の６等分した３ケ所部に奥行の両端から４０ｍｍの位置に４か所に半径５ｍｍφのはめ込み金属マグネット盤を設置した。【００２７】さらにＡタイプの２個とＢタイプ、Ｃタイプのボックス型中空板箱の前面には厚さ３ｍｍのアクリル樹脂製の透明樹脂板を６０％程度に中央部に取り付けて、内容物が分かるようにした。また図３のようなパーツユニット状態で、図４のように杉木製箱Ａの４箱、木製箱Ｂの１箱，木製箱Ｃの１箱を、各マグネットが合うようにそれぞれ並べて、上面に天板を置いて図４のような家具（靴入れ）に組み立てた。これを靴入れ家具として、女性独身のマンションにおいて、ブーツ、靴、傘、などを入れて使用した。
【実施例２】
【００２８】図１の三種類の木製ボックス型中空板箱と天板とにおいて、厚さ１５ｍｍの杉材を使用して三種類の杉木材製ボックス型中空板箱と天板とを製作した。図２に示すように、木製箱として、高さ２００ｍｍ、幅２８４ｍｍ、奥行３３０ｍｍの寸法の杉木製箱Ａを５個と、高さ４００ｍｍ、幅２８４ｍｍ、奥行３３０ｍｍの寸法の杉木製箱Ｂを１個と、高さ６００ｍｍ、幅２８４ｍｍ、奥行３３０ｍｍの寸法の杉木製箱Ｃを１個と、天板として、幅３３０ｍｍ、長さ９００ｍｍ、厚さ１５ｍｍの長方形板の１枚であった。【００２９】高さ２００ｍｍ、幅２８４ｍｍ、奥行３３０ｍｍの寸法の杉木製箱Ａの基本形木製ボックス型中空板箱の左横板、右横板、上板、底板の四面の外板面の中心部に、奥行の両端から４０ｍｍの位置に２か所に半径５ｍｍφのはめ込み金属マグネット盤を設置して、高さ４００ｍｍ、幅２８４ｍｍ、奥行３３０ｍｍの寸法の杉木製箱Ｂの基本形木製ボックス型中空板箱の左横板、右横板、上板、底板の四面の外板面の４等分した２ケ所部に、奥行の両端から４０ｍｍの位置に４か所に半径５ｍｍφのはめ込み金属マグネット盤を設置して、高さ６００ｍｍ、幅２８４ｍｍ、奥行３３０ｍｍの寸法の杉木製箱Ｃの基本形木製ボックス型中空板箱の左横板、右横板、上板、底板の四面の外板面の６等分した３ケ所部に奥行の両端から４０ｍｍの位置に４か所に半径５ｍｍφのはめ込み金属マグネット盤を設置した。【００３０】さらにＡタイプの４個とＢタイプ、Ｃタイプのボックス型中空板箱の前面には厚さ３ｍｍのアクリル樹脂製の透明樹脂板を７０％程度に中央部に取り付けた。またこれを図５のように杉木製箱Ａの５箱、木製箱Ｂの１箱，木製箱Ｃの１箱を、各マグネットが合うようにそれぞれ並べて、上面に天板を置いて図５のようなデザイン性の物入れ家具に組み立てた。これを物入れ家具として、女性独身のマンションにおいて、装飾品、書類、などを入れて使用した。
【実施例３】
【００３１】図１の三種類の木製ボックス型中空板箱と天板とにおいて、厚さ１５ｍｍの杉材を使用して三種類の杉木材製ボックス型中空板箱と天板とを製作した。図２に示すように、木製箱として、高さ２００ｍｍ、幅２８４ｍｍ、奥行３３０ｍｍの寸法の杉木製箱Ａを３個と、高さ６００ｍｍ、幅２８４ｍｍ、奥行３３０ｍｍの寸法の杉木製箱Ｃを１個と、天板として、幅３３０ｍｍ、長さ９００ｍｍ、厚さ１５ｍｍの長方形板の１枚であった。【００３２】高さ２００ｍｍ、幅２８４ｍｍ、奥行３３０ｍｍの寸法の杉木製箱Ａの基本形木製ボックス型中空板箱の左横板、右横板、上板、底板の四面の外板面の中心部に、奥行の両端から４０ｍｍの位置に２か所に半径５ｍｍφのはめ込み金属マグネット盤を設置して、  高さ６００ｍｍ、幅２８４ｍｍ、奥行３３０ｍｍの寸法の杉木製箱Ｃの基本形木製ボックス型中空板箱の左横板、右横板、上板、底板の四面の外板面の６等分した３ケ所部に奥行の両端から４０ｍｍの位置に４か所に半径５ｍｍφのはめ込み金属マグネット盤を設置した。【００３３】さらにＣタイプのボックス型中空板箱の前面には厚さ３ｍｍのアクリル樹脂製の透明樹脂板を６０％程度に中央部に取り付けた。またこれを図６のように杉木製箱Ａの３箱、木製箱Ｃの１箱と、天板とを、各マグネットが合うようにそれぞれ並べて、上面に天板を置いて図６のような机家具に組み立てた。これを机家具として、マンションにおいて、変更可能な仕事机にして使用した。
【実施例４】
【００３４】図１の三種類の木製ボックス型中空板箱と天板とにおいて、厚さ１５ｍｍの杉材を使用して三種類の杉木材製ボックス型中空板箱と天板とを製作した。図２に示すように、木製箱として、高さ２００ｍｍ、幅２８４ｍｍ、奥行３３０ｍｍの寸法の杉木製箱Ａを２個と、高さ４００ｍｍ、幅２８４ｍｍ、奥行３３０ｍｍの寸法の杉木製箱Ｂを１個と、天板として、幅３３０ｍｍ、長さ９００ｍｍ、厚さ１５ｍｍの長方形板の１枚であった。【００３５】高さ２００ｍｍ、幅２８４ｍｍ、奥行３３０ｍｍの寸法の杉木製箱Ａの基本形木製ボックス型中空板箱の左横板、右横板、上板、底板の四面の外板面の中心部に、奥行の両端から４０ｍｍの位置に２か所に半径５ｍｍφのはめ込み金属マグネット盤を設置して、高さ４００ｍｍ、幅２８４ｍｍ、奥行３３０ｍｍの寸法の杉木製箱Ｂの基本形木製ボックス型中空板箱の左横板、右横板、上板、底板の四面の外板面の４等分した２ケ所部に、奥行の両端から４０ｍｍの位置に４か所に半径５ｍｍφのはめ込み金属マグネット盤を設置した。【００３６】さらにＢタイプのボックス型中空板箱の前面には厚さ３ｍｍのアクリル樹脂製の透明樹脂板を６０％程度に中央部に取り付けた。またこれを図７のように杉木製箱Ａの２箱、木製箱Ｂの１箱を、各マグネットが合うようにそれぞれ並べて、上面に天板を置いて図７のような机家具に組み立てた。これを机家具として、マンションにおいて、変更可能な仕事机にして使用した。
【実施例５】
【００３７】図１の三種類の木製ボックス型中空板箱と天板とにおいて、厚さ１５ｍｍの杉材を使用して三種類の杉木材製ボックス型中空板箱と天板とを製作した。図２に示すように、木製箱として、高さ２００ｍｍ、幅２８４ｍｍ、奥行３３０ｍｍの寸法の杉木製箱Ａを４個（窓付き３個、窓なし１個）と、天板として、幅３３０ｍｍ、長さ９００ｍｍ、厚さ１５ｍｍの長方形板の３枚であった。【００３８】高さ２００ｍｍ、幅２８４ｍｍ、奥行３３０ｍｍの寸法の杉木製箱Ａの基本形木製ボックス型中空板箱の左横板、右横板、上板、底板の四面の外板面の中心部に、奥行の両端から４０ｍｍの位置に２か所に半径５ｍｍφのはめ込み金属マグネット盤を設置した。さらにボックス型中空板箱の前面には厚さ３ｍｍのアクリル樹脂製の透明樹脂板を６０％程度に中央部に取り付けた。またこれを図８のように杉木製箱Ａの４箱、天板の３枚を、各マグネットが合うようにそれぞれ並べて、天板をサンドイッチに置いて、図９のパーツとして図８のような家具（靴入れ）に組み立てた。これを物入れキャビネット家具として、女性独身のマンションにおいて、物入れとテレビ、ビデオなどを入れて使用した。
【実施例６】
【００３９】図１の三種類の木製ボックス型中空板箱と天板とにおいて、厚さ１５ｍｍの杉材を使用して三種類の杉木材製ボックス型中空板箱と天板とを製作した。図２に示すように、木製箱として、高さ２００ｍｍ、幅２８４ｍｍ、奥行３３０ｍｍの寸法の杉木製箱Ａを３と、天板として、幅３３０ｍｍ、長さ９００ｍｍ、厚さ１５ｍｍの長方形板の２枚であった。【００４０】高さ２００ｍｍ、幅２８４ｍｍ、奥行３３０ｍｍの寸法の杉木製箱Ａの基本形木製ボックス型中空板箱の左横板、右横板、上板、底板の四面の外板面の中心部に、奥行の両端から４０ｍｍの位置に２か所に半径５ｍｍφのはめ込み金属マグネット盤を設置した。またこれを図１０のように杉木製箱Ａの３箱、天板２枚とを、各マグネットが合うようにそれぞれ並べて、上面に天板を置いて図１０のようなタック家具に組み立てた。これを家電置き家具として、女性独身のマンションにおいてテレビ置きなどに使用した。
【実施例７】
【００４１】図１の三種類の木製ボックス型中空板箱と天板とにおいて、厚さ１５ｍｍの杉材を使用して三種類の杉木材製ボックス型中空板箱と天板とを製作した。図２に示すように、木製箱として、高さ２００ｍｍ、幅２８４ｍｍ、奥行４３０ｍｍの寸法の杉木製箱Ａを２個と、高さ４００ｍｍ、幅２８４ｍｍ、奥行４３０ｍｍの寸法の杉木製箱Ｂを１個と、天板として、幅４３０ｍｍ、長さ９００ｍｍ、厚さ１５ｍｍの長方形板の１枚であった。【００４２】高さ２００ｍｍ、幅２８４ｍｍ、奥行３３０ｍｍの寸法の杉木製箱Ａの基本形木製ボックス型中空板箱の左横板、右横板、上板、底板の四面の外板面の中心部に、奥行の両端から４０ｍｍの位置に２か所に半径５ｍｍφのはめ込み金属マグネット盤を設置して、  高さ４００ｍｍ、幅２８４ｍｍ、奥行４３０ｍｍの寸法の杉木製箱Ｂの基本形木製ボックス型中空板箱の左横板、右横板、上板、底板の四面の外板面の４等分した２ケ所部に、奥行の両端から４０ｍｍの位置に４か所に半径５ｍｍφのはめ込み金属マグネット盤を設置した。【００４３】さらにＢタイプのボックス型中空板箱の前面には厚さ３ｍｍのアクリル樹脂製の透明樹脂板を７０％程度に中央部に取り付けた。またこれを図７のように杉木製箱Ａの２箱、木製箱Ｂの１箱を、各マグネットが合うようにそれぞれ並べて、上面に天板を置いて図７のような机家具に組み立てた。これを机家具として、マンションにおいて、変更可能な仕事机にして使用した。
【実施例８】
【００４４】図１の三種類の木製ボックス型中空板箱と天板とにおいて、厚さ１５ｍｍの檜材を使用して三種類の檜木材製ボックス型中空板箱と天板とを製作した。図２に示すように、木製箱として、高さ２００ｍｍ、幅３００ｍｍ、奥行３３０ｍｍの寸法の杉木製箱Ａを４個（窓付き２個、窓なし２個）と、高さ４００ｍｍ、幅３００ｍｍ、奥行３３０ｍｍの寸法の杉木製箱Ｂ（窓付き）を１個と、高さ６００ｍｍ、幅３００ｍｍ、奥行３３０ｍｍの寸法の檜木製箱Ｃ（窓付き）を１個と、天板として、幅３３０ｍｍ、長さ９００ｍｍ、厚さ１５ｍｍの長方形板の１枚であった。【００４５】図２のように高さ２００ｍｍ、幅３００ｍｍ、奥行３３０ｍｍの寸法の檜木製箱Ａの基本形木製ボックス型中空板箱の左横板、右横板、上板、底板の四面の外板面の中心部に、奥行の両端から４０ｍｍの位置に２か所に半径５ｍｍφのはめ込み金属マグネット盤を設置して、高さ４００ｍｍ、幅３００ｍｍ、奥行３３０ｍｍの寸法の檜木製箱Ｂの基本形木製ボックス型中空板箱の左横板、右横板、上板、底板の四面の外板面の４等分した２ケ所部に、奥行の両端から４０ｍｍの位置に４か所に半径５ｍｍφのはめ込み金属マグネット盤を設置して、高さ６００ｍｍ、幅３００ｍｍ、奥行３３０ｍｍの寸法の檜木製箱Ｃの基本形木製ボックス型中空板箱の左横板、右横板、上板、底板の四面の外板面の６等分した３ケ所部に奥行の両端から４０ｍｍの位置に４か所に半径５ｍｍφのはめ込み金属マグネット盤を設置した。【００４６】さらにＡタイプの２個とＢタイプ、Ｃタイプのボックス型中空板箱の前面には厚さ３ｍｍのアクリル樹脂製の透明樹脂板を７０％程度に中央部に取り付けて、内容物が分かるようにした。また図３のようなパーツユニット状態で、図４のように檜木製箱Ａの４箱、木製箱Ｂの１箱，木製箱Ｃの１箱を、各マグネットが合うようにそれぞれ並べて、上面に天板を置いて、底にはそれぞれ台座を敷いて、図４のような家具（靴入れ）に組み立てた。これを靴入れ家具として、独身者のワンルームマンションにおいて、ブーツ、靴、傘、雨具などを入れて使用した。
【符号の説明】
【００４７】１．左側板
２．右側板
３．上板
４．底板
５．窓
６．天板
７．裏板
８．枠板
９．Ａタイプボックス型中空板箱
１０．Ｂタイプボックス型中空板箱
１１．Ｃタイプボックス型中空板箱
１２．扉
１３．引出
１４．マグネット
１５．接続具
【図１】
0003174701.tif 000003
【図２】
0003174701.tif 000004
【図３】
0003174701.tif 000005
【図４】
0003174701.tif 000006
【図５】
0003174701.tif 000007
【図６】
0003174701.tif 000008
【図７】
0003174701.tif 000009
【図８】
0003174701.tif 000010
【図９】
0003174701.tif 000011
【図１０】
0003174701.tif 000012